(57)【特許請求の範囲】
【請求項１】
帯域幅の異なる複数のフィルタによりアンテナ入力信号から帯域幅の異なる信号を複数抽出し、前記抽出した信号に基づき前記アンテナ入力信号の減衰量及びＲＦアンプの増幅度を制御するＲＦ−ＡＧＣ回路を備えた受信機であって、
前記抽出される信号は、少なくともＲＦアンプより前段から抽出される帯域幅の広い信号と、ＲＦアンプよりも後段から抽出される帯域幅の狭い信号とからなり、
前記ＲＦ−ＡＧＣ回路は、前記抽出された信号のうち、前記ＲＦアンプより後段から抽出された帯域幅の狭い信号に基づき前記ＲＦアンプの増幅度を制御し、
且つ、前記ＲＦアンプの前段及び後段から抽出された信号に基づき前記アンテナ入力信号の減衰量を制御することを特徴とするＲＦ−ＡＧＣ回路を備えた受信機。
【請求項２】
前記ＲＦ−ＡＧＣ回路は、前記アンテナ入力信号の減衰量を制御する制御開始点を変更する手段をさらに含み、アンテナ入力レベルの高い放送局のみを検出するローカルサーチ設定時には前記制御開始点を通常受信時より遅らせることを特徴とする請求項１記載のＲＦ−ＡＧＣ回路を備えた受信機。
【発明の詳細な説明】
【０００１】
【発明の属する技術分野】
本発明は、ＲＦ−ＡＧＣ回路を備えた受信機に関する。
【０００２】
【従来の技術】
受信機で使用されるＲＦ−ＡＧＣの目的の１つは、ＲＦアンプが歪まないようにすることである。具体的には、入力信号レベルが一定以上の場合には、出力レベルが一定となるようにＲＦアンプの増幅度を制御することになる。かかる制御によりＩＭ（相互変調）妨害の悪影響を改善することができる。
【０００３】
実際の受信状況ではＲＦアンプの制御のみでは十分な減衰量がとれないことが多く、ＲＦアンプの前段に入力信号を減衰させるための減衰器を配し、両者を制御することで必要な減衰量を確保することが一般的である。
【０００４】
他方、現在受信中の周波数から遠く離れた周波数にある妨害波に対しても前述のＲＦ−ＡＧＣが反応するように、ＲＦ同調段の出力のみならず、より広帯域なアンテナ同調段の出力をも加味してＲＦ−ＡＧＣを構成しようとする試みも特開平８−３０７２８８にてなされている。
【０００５】
図７に、特開平８−３０７２８８に開示のＲＦ−ＡＧＣ回路を示す。なお、図には本件と直接関係のある部分のみを示している。アンテナで受信したアンテナ入力信号は、アンテナ同調段１、ＲＦアンプ２、ＲＦ同調段３、にて帯域制限及び所定量の増幅が行われ、ミキサ−（ＭＩＸ）４に入力される。ミキサー４にては、入力信号とＶＣＯ６の信号とがミックスされＩＦ信号が形成される。ＩＦ信号は、ＩＦフィルタ５を経て、図示しない後段のＩＦアンプ、ＦＭ検波器に出力される。かかる各部の構成は周知であるのでその説明は割愛する。
【０００６】
ＲＦ−ＡＧＣ回路３３では、アンテナ同調段１の出力とＲＦ同調段３の出力及びミキサー４の出力、という帯域幅の異なる信号に基づいて制御信号が生成される。具体的には、交流（ＡＣ）アンプであるアンプ７〜９に対して、アンテナ同調段１の出力ａ、ＲＦ同調段３の出力ｂ、ミキサー４の出力ｃが取り込まれるようになっており、それぞれのアンプ７〜９でそれぞれの出力ａ〜ｃが増幅された後、加算段２５にて加算され、検波段２６にて加算された信号の振幅検波がなされる。この検波レベルが基準電圧Ｖ５を上回った場合にＡＧＣドライブ段２８からドライブ信号がアンテナ同調段１とＲＦアンプ２に出力される。出力されたドライブ信号は、ＲＦアンプ２の増幅度の制御とＡＮＴ同調段１中の減衰器２０の制御に利用され、結果としてＲＦアンプ２の出力が一定以上にならないように制御される。
【０００７】
【発明が解決しようとする課題】
しかしながら、かかる制御では、アンテナ同調段ａの出力で、ＲＦアンプ２やアンテナ同調段１が制御されることになる。この場合、アンテナ同調段１の制御はフィードバック制御になるので問題ないが、ＲＦアンプ２については、フィードバックループを構成することができない。よって、ＲＦアンプ２の制御が過大なものとなり、大きな減衰がかかり、再生音声の音切れが発生する。
【０００８】
以上の点に鑑み、本発明では、音切れの無いＲＦ−ＡＧＣ回路を提供することを課題とする。
【０００９】
【課題を解決するための手段】
かかる課題を解決するために、本発明では、帯域幅の異なる複数のフィルタによりアンテナ入力信号から帯域幅の異なる信号を複数抽出し、前記抽出した信号に基づき前記アンテナ入力信号の減衰量及びＲＦアンプの増幅度を制御するＲＦ−ＡＧＣ回路を備えた受信機であって、前記抽出される信号は、少なくともＲＦアンプより前段から抽出される帯域幅の広い信号と、ＲＦアンプよりも後段から抽出される帯域幅の狭い信号とからなり、前記ＲＦ−ＡＧＣ回路は、前記抽出された信号のうち、前記ＲＦアンプより後段から抽出された帯域幅の狭い信号に基づき前記ＲＦアンプの増幅度を制御し、且つ、前記ＲＦアンプの前段及び後段から抽出された信号に基づき前記アンテナ入力信号の減衰量を制御することを特徴とする。
【００１０】
【発明の実施の形態】
以下、本発明の実施の形態を図面に基づいて説明する。
図１は、本発明の第１の実施形態であり、ＲＦ−ＡＧＣ回路３４を備えた受信機のフロントエンド部分のブロック図である。図７と同様の部分については同一の番号を付与している。
【００１１】
本発明では、アンテナ同調段１の出力、すなわちＲＦアンプ２の前段から取り出される信号ａがＲＦアンプ２の制御に影響を与えないように構成することで前述の不具合を解消している。そのために、本発明では、検波段１１、ＡＧＣドライブ段１３、加算段１９を新たに設けている。
【００１２】
以下、各部の動作を詳細に説明すると、アンテナ同調段１の出力信号ａはＡＣアンプ７にて増幅され、さらに、検波段１１にて振幅検波が施される。この検波レベルが基準電圧Ｖ１を上回った場合にＡＧＣドライブ段１３からドライブ信号が加算段１９に出力される。他方、ＲＦ同調段３、ミキサー４の出力信号ｂ、ｃは、それぞれＡＣアンプ８，９にて増幅され、加算段１０を経て、検波段１２にて振幅検波が施される。この検波レベルが基準電圧Ｖ２を上回った場合にＡＧＣドライブ段１４からドライブ信号が加算段１９とＲＦアンプ２に対して出力される。
【００１３】
この結果、減衰器２０は加算段１９の出力で制御され、ＲＦアンプ２はＡＧＣドライブ段１４の出力で制御されることになる。よって、ＲＦアンプ２、減衰器２０共にフィードバック制御によるゲインコントロールとなるので、ＡＧＣ動作による音切れは起こらない。
【００１４】
図２は、第１の実施形態を踏襲し、さらに、サーチ実行時における電界強度信号のダイナミックレンジの改善をなす第２の実施形態である。
【００１５】
受信帯域内の他の放送局を選局しようとする場合、一般には、２種類のサーチ手法が良く知られている。１つは、現在地近傍の放送局を優先的に選局しようとするローカルサーチであり、もう１つは、遠距離の放送局も選局可能とするＤＸサーチである。ローカルサーチにおいては、近距離（受信レベルの高い放送局）を優先的に受信するために、換言すれば、受信レベルの低い放送局を検出しないように入力信号を所定量減衰させる。これは、ＲＦアンプの増幅度を制御し、ＲＦアンプの増幅度を通常受信時よりも所定量減衰させるようにすることで実現できる。
【００１６】
図２は、かかる制御を可能とした受信機の概略ブロック図である。ローカルサーチを実行する場合、制御部２３は、ハイレベルの信号（ＬＯＣ）をトランジスタ２２に出力する。かかる信号を受けたトランジスタ２２がオンすることによって、ＲＦアンプ２１の第２ゲートが制御され、ＲＦアンプ２１のゲインが強制的に所定量下げられることになる。
【００１７】
図３は、かかる制御の有無による電界強度レベルとアンテナ入力レベルとの関係を示した図である。図中、横軸はアンテナ入力レベルであり、縦軸はＩＦ．ＡＭＰ３０で検出される電界強度レベルである。ローカルサーチ時は、ＲＦアンプ２１の増幅度が通常時に比較して制限されているので、図に示すように、電界強度レベルの振る舞いは通常時と異なる。よって、比較器３１で放送局有りと判定される電界強度レベルをＶｓとすると、ローカルサーチ時のストップレベルはＤＸシーク時のストップレベルより大なる値となる。したがって、前述の２種類のサーチが可能となるのである。
【００１８】
なお、本第２の実施形態では、ローカルサーチ時には、ＡＧＣドライブ段１３のＤＣ（直流）ゲインを下げるように比較電圧Ｖ１の電位を上げてアンテナ同調段の出力信号ａに基づくＡＧＣの動作開始点を通常より遅らせるように構成している。以下、この点について、説明する。
【００１９】
図３に示すＡＧＣオンレベルは、かかる制御を行わない場合のＡＣアンプ７、検波段１１、ＡＧＣドライブ段１３、加算段１９、減衰器２０で構成されるＡＧＣループの制御開始レベルである。アンテナ同調段の出力信号ａに基づくＡＧＣは、ＲＦアンプ２より前段の信号を利用するため、ローカルサーチでも動作開始点は通常時と同じである。このため、電界強度信号は通常時（ＶＤ）より早くＶＬで飽和することになる。このことは、ローカルサーチ時の電界強度信号のダイナミックレンジが通常時より狭くなるということを意味しており、正確な受信レベルの測定の妨げとなるのである。
【００２０】
このような弊害を改善するため、第２の実施形態では、図４に示すようにＡＧＣドライブ段１３の比較電圧Ｖ１（抵抗Ｒの両端の電圧）をローカルサーチ時と通常時とで切換可能に構成し、ローカルサーチ時には、ＡＧＣドライブ段１３のＤＣ（直流）ゲインを下げるように制御することでＲＦ−ＡＧＣの動作開始点を通常より遅らせるようにしている。具体的には、ローカルサーチ時にスイッチＳＷを閉じて抵抗Ｒに流れる電流量を増加させることによりかかる制御は可能となる。
【００２１】
図５は、かかる制御を行った場合の電界強度レベルとアンテナ入力レベルとの関係を示した図である。図中、横軸は，アンテナ入力レベルであり、縦軸は、ＩＦ．ＡＭＰ３０で検出される電界強度レベルである。ローカルサーチ時にＡＧＣの開始を遅らせることで、電界強度出力はＶＬ２までリニアリティを保つことが可能となり、ローカルサーチ時の電界強度出力のダイナミックレンジが改善されていることがわかる。
【００２２】
なお、上記の手法の他にも、図６に示すように、ＡＣアンプ７の増幅度を制御することでも同様の効果を得ることが出きる。図６に示すＲＦ−ＡＧＣ回路３６は、図２に示すＲＦ−ＡＧＣ回路３５と異なり、制御部２３から出力されるＬＯＣ信号がＡＣアンプ７に供給されており、ローカルサーチ時に通常時に比較してアンプのゲインを下げる（又はアンプの動作を停止する）ように制御することで同様にＲＦ−ＡＧＣの動作開始点を通常より遅らせるようにしている。
【００２３】
【発明の効果】
以上説明したように、本発明によれば、音切れの無いＲＦ−ＡＧＣ回路を提供することができる。
【図面の簡単な説明】
【図１】本発明の第１の実施形態を示す図である。
【図２】本発明の第２の実施形態を示す図である。
【図３】アンテナ入力に対する電界強度出力特性を示す図である。
【図４】ＡＦＣドライブ段１３の詳細構成を示す図である。
【図５】アンテナ入力に対する電界強度出力特性を示す図である。
【図６】本発明のその他の実施形態を示す図である。
【図７】従来のＲＦ−ＡＧＣ回路を示す図である。
【符号の説明】
１  ・・・・  アンテナ同調段
２、２１  ・・・・  ＲＦアンプ
３  ・・・・  ＲＦ同調段
４  ・・・・  ミキサー
５  ・・・・  ＩＦフィルタ
６  ・・・・  ＶＣＯ
７、８、９  ・・・・  ＡＣアンプ
１０、１９、２５  ・・・・  加算段
１１、１２、２６  ・・・・  検波段
１３、１４、２８  ・・・・  ＡＧＣドライブ段
１５、１６、２７  ・・・・  負荷インピーダンス
２０  ・・・・  減衰器
２２  ・・・・  トランジスタ
２３  ・・・・  制御部
３０  ・・・・  ＩＦアンプ
３１，３２・・・・  比較器
３３、３４、３５、３６・・・・  ＲＦ−ＡＧＣ回路
【図１】
0003604274.tif 000002
【図２】
0003604274.tif 000003
【図３】
0003604274.tif 000004
【図４】
0003604274.tif 000005
【図５】
0003604274.tif 000006
【図６】
0003604274.tif 000007
【図７】
0003604274.tif 000008